(57)【要約】      （修正有）【課題】抜け止めの効果が確実に得られ、破損の恐れも有効に低減させたコンセントホルダ取付構造を提供する。【解決手段】デスクにコンセントホルダを取り付けるにあたり、コンセントホルダに軸３４ｘ回りに回転可能にホルダストッパ３４を設け、このホルダストッパ３４の作動状態でデスクから引き抜く力がコンセントホルダに作用した場合に、当該ホルダストッパ３４がコンセントホルダの軸３４ｘ以外の部位とデスクの一部との間で突っ張ってコンセントホルダの抜出を制止するように構成した。【選択図】図８
2005218266.tif 000002
【特許請求の範囲】
【請求項１】
取付対象にコンセントホルダを取り付ける際に利用されるものであって、
コンセントホルダに軸回りに回転可能にホルダストッパを設け、このホルダストッパの作動状態で取付対象から引き抜く力がコンセントホルダに作用した場合に、当該ホルダストッパがコンセントホルダの軸以外の部位と取付対象の一部との間で突っ張ってコンセントホルダの抜出を制止することを特徴とするコンセントホルダ取付構造。
【請求項２】
ホルダストッパが長尺物であり、長手方向に沿った一対の縁部を取付対象の一部及びコンセントホルダの軸以外の部位に突き当てるようにしている請求項１記載のコンセントホルダ取付構造。
【請求項３】
ホルダストッパの基端側の縁部に臨む部位にコンセントホルダから係止片を突設し、ホルダストッパの先端側の縁部が取付対象の一部に当接して反力を受けた場合に、ホルダストッパの基端側の縁部が係止片に当接して、ホルダストッパが係止片と取付対象の一部との間で突っ張った状態となる請求項１又は２記載のコンセントホルダ取付構造。
【請求項４】
コンセントホルダは、取付対象に設けた上向き面に周縁部を載せ置いて取り付けられるものである請求項１〜３記載のコンセントホルダ取付構造。
【請求項５】
ホルダストッパは長尺物であり、一端側に操作部を備えている請求項１〜４記載のコンセントホルダ取付構造。
【請求項６】
操作部は、バネを使わずに切り替えを行うものである請求項５記載のコンセントホルダ取付構造。
【請求項７】
操作部は作動体の回転を引き起こし、作動体は第１の回転位置で一対のホルダストッパを平行な非作動状態に保ち、第２の回転位置で逆ハの字に開いた作動状態を保つ請求項６記載のコンセントホルダ取付構造。
【請求項８】
作動体が、ホルダストッパ間にあって、ホルダストッパの先端側を付勢する動作と基端側を付勢する動作とを背反的に行う請求項７記載のコンセントホルダ取付構造。
【請求項９】
作動体の動作に連動して、コンセントホルダからコンセントを係止するコンセントストッパが突出する請求項７又は８記載のコンセントホルダ取付構造。
【請求項１０】
コンセントホルダは、コンセントを一端側又は他端側に押し込んだ状態で他端側又は一端側に戻すことによりけんどん方式で取り付け可能なものであり、コンセントが再び一端側又は他端側に移動することを禁止する部位にコンセントストッパを配置し得るようにしている請求項９記載のコンセントホルダ取付構造。
【請求項１１】
コンセントストッパが、ホルダストッパの一部に一体的に設けてある請求項９又は１０記載のコンセントホルダ取付構造。
【請求項１２】
コンセントストッパの作動時期と、ホルダストッパの作動時期との間にタイムラグを設けている請求項９〜１１記載のコンセントホルダ取付構造。
【請求項１３】
取付対象が、デスクの天板に開口するホルダ取付部である請求項１〜１２記載のコンセントホルダ取付構造。
【請求項１４】
コンセントが、第１の使用面と、第２の使用面とを備えるものであり、コンセントホルダが、何れの使用面を上に向けてもコンセントを装着し得るものである請求項１〜１３記載のコンセントホルダ取付構造。
【請求項１５】
軸回りに回転可能に一対のホルダストッパを備えたものであって、このホルダストッパは長尺物で構成され、長手方向一端側に操作部を備え、操作部により作動体が回転して、通常位置で一対のホルダストッパを互いに平行をなす非作動状態に保ち、所定回転位置で逆ハの字に開いた作動状態に保つことを特徴とするコンセントホルダ。
【請求項１６】
軸の支持状態に遊びを設けるとともに、ホルダストッパの基端側の縁部に臨む部位に係止片を突出させて配置している請求項１５記載のコンセントホルダ。
【請求項１７】
操作部は、バネを使わずに切り替えを行うものである請求項１５又は１６記載のコンセントホルダ取付構造。
【請求項１８】
作動体の操作に連動して、コンセントホルダからコンセントを係止するコンセントストッパが突出する請求項１５〜１７記載のコンセントホルダ。
【発明の詳細な説明】
【技術分野】
【０００１】
本発明は、デスク等に好適に適用されるコンセントホルダ取付構造及びコンセントホルダに関するものである。
【背景技術】
【０００２】
従来より、デスク回りの配線を隠蔽するために、デスクに開口を設けてコンセントを装着し、コンセントの電源線等を開口奥の配線空間に収納しておけるようにしたものが開発され、利用に供されている。
【０００３】
このうち、既存のコンセントをデスクに取り付け、或いはコンセントを取付方位を変えて装着することを可能にするために、コンセントをコンセントホルダを介してデスク等に取り付けることも行われている（特許文献１参照）。
【０００４】
この場合、プラグの抜き差しによってコンセントホルダがデスクから外れることを防止するために、コンセントホルダに弾性爪を設け、コンセントの対応位置に突起を有し、コンセントをコンセントホルダに装着したときに、突起がコンセントホルダの弾性爪を押圧し、その弾性爪がデスクの開口縁に係合するようにしたものが知られている（特許文献２参照）。
【特許文献１】特開平１０−１１７４１９号公報
【特許文献２】特開平１０−０１４６６７号公報
【発明の開示】
【発明が解決しようとする課題】
【０００５】
しかしながら、かかる取付構造によると、爪の出っ張りやストロークをあまり大きくとれないため、抜け止め効果が十分に得られないだけでなく、爪の強度に一定の限界があるため破損し易いという不具合が拭えない。また、突起の位置と爪の位置とを合致させなければならないが、加工誤差や取付誤差があるとこれらが円滑に作動しなくなる場合があり、強度を高めるために爪の数を増やすと、これらの不具合がより顕著なものとなる。
【０００６】
本発明は、このような課題に着目してなされたものであって、抜け止めの効果が確実に得られ、破損の恐れも有効に低減させたコンセントホルダ取付構造及びコンセントホルダを提供することを目的としている。
【課題を解決するための手段】
【０００７】
本発明は、かかる目的を達成するために、次のような手段を講じたものである。
【０００８】
すなわち、本発明のコンセントホルダ取付構造は、取付対象にコンセントホルダを取り付けるにあたり、コンセントホルダに軸回りに回転可能にホルダストッパを設け、このホルダストッパの作動状態で取付対象から引き抜く力がコンセントホルダに作用した場合に、当該ホルダストッパがコンセントホルダの軸以外の部位と取付対象の一部との間で突っ張ってコンセントホルダの抜出を制止することを特徴とする。
【０００９】
このようなものであると、ホルダストッパの部材自体の圧縮強度によって応力を受け止め、軸に過大な負担を掛けないようにすることができるので、軸の破損を有効に防止することができる。
【００１０】
強度をより高めるためには、ホルダストッパが長尺物であり、長手方向に沿った一対の縁部を取付対象の一部及びコンセントホルダの軸以外の部位に突き当てるようにしておくことが望ましい。
【００１１】
具体的な実施の態様としては、ホルダストッパの基端側の縁部に臨む部位にコンセントホルダから係止片を突設し、ホルダストッパの先端側の縁部が取付対象の一部に当接して反力を受けた場合に、ホルダストッパの基端側の縁部が係止片に当接して、ホルダストッパが係止片と取付対象の一部との間で突っ張った状態となるように構成しているものが挙げられる。このような挙動は、ホルダストッパを支持する軸と軸受の間に遊びを設けて当該軸を軸受から変位させる動作を利用することもできるし、軸や軸受を樹脂製のものにしてその弾性変形を利用して付与することもできる。
【００１２】
本発明は、コンセントホルダが取付対象から抜脱することを防止するものであるため、取付対象に設けた上向き面に周縁部を載せ置いて取り付けられるコンセントホルダに適用して特に有用となる。
【００１３】
構造の簡素化を図るためには、ホルダストッパを長尺物とし、一端側にのみ操作部を備えておくことが望ましい。
【００１４】
同様の趣旨で、操作部がバネを使わずに切り替えを行えるものであることも有効である。
【００１５】
操作部とホルダストッパとを連動させるための好ましい態様としては、操作部により作動体の回転を引き起こし、作動体は第１の回転位置で一対のホルダストッパを平行な非作動状態に保ち、第２の回転位置で逆ハの字に開いた作動状態を保つように構成されるものが挙げられる。
【００１６】
作動体でホルダストッパを直動するためには、当該作動体がホルダストッパ間にあって、ホルダストッパの先端側を付勢する動作と基端側を付勢する動作とを背反的に行うものであることが好ましい。
【００１７】
作動体をより有効に活用するためには、当該作動体の動作に連動して、コンセントホルダからコンセントを係止するコンセントストッパが突出するように構成しておくことが望ましい。
【００１８】
コンセントホルダへのコンセントの脱着を容易にし、かつ取付状態を確実なものにするためには、コンセントホルダが、コンセントを一端側又は他端側に押し込んだ状態で他端側又は一端側に戻すことによりけんどん方式で取り付け可能であって、コンセントが再び一端側又は他端側に移動することを禁止する部位にコンセントストッパを配置し得るようにしていることが有効である。
【００１９】
構造の簡素化を図るためには、コンセントストッパが、ホルダストッパの一部に一体的に設けてあることが望ましい。
【００２０】
操作部の一連の動作の中で、コンセントホルダを取付対象に定着させたままでコンセントのみを取り出すことを可能にするためには、コンセントストッパの作動時期と、ホルダストッパの作動時期との間にタイムラグを設けておくことが効果的である。
【００２１】
本発明の好適な取付対象としては、デスクの天板に開口するホルダ取付部が挙げられ、また好適な具体的態様としては、コンセントが第１の使用面及び第２の使用面とを備え、コンセントホルダが何れの使用面を上に向けてもコンセントを装着し得るように構成されているものが挙げられる。
【００２２】
以上の取付構造を実現するためのコンセントホルダとしては、軸回りに回転可能に一対のホルダストッパを備え、このホルダストッパは長尺物で構成され、長手方向一端側に操作部を備え、操作部により作動体が回転して、通常位置で一対のホルダストッパを互いに平行をなす非作動状態に保ち、所定回転位置で逆ハの字に開いた作動状態に保つように構成されているものが挙げられる。
【００２３】
好適な構造としては、叙述した通り、軸の支持状態に遊びを設けるとともに、ホルダストッパの基端側の縁部に臨む部位に係止片を突出させて配置しているもの、操作部がバネを使わずに切り替えを行うもの、作動体の操作に連動してコンセントホルダからコンセントを係止するコンセントストッパが突出するもの等が有効である。
【発明の効果】
【００２４】
本発明は、以上のような構成であるから、抜け止め効果が確実に得られ、破損の恐れも低減することができるとともに、これに伴う作業の便も有効に向上させたコンセントホルダ取付構造及びコンセントホルダを提供することが可能となる。
【発明を実施するための最良の形態】
【００２５】
以下、本発明の一実施形態を、図面を参照して説明する。
【００２６】
この実施形態のコンセントホルダ取付構造は、図１に示すように、デスク１を構成する天板本体１１の反使用端側に開口するホルダ取付部１０にコンセント２を、コンセントホルダ３を介して取り付けるためのものである。
【００２７】
コンセント２は、側面視において異形三角形状をなすブロック体状の樹脂製品で、図６に示す所定取付位置で略水平姿勢をとる上面２１に差込口（情報コンセントにあっては図１２の差込口２１ａ、電源コンセントにあっては図１３の差込口２１ｂ）を備え、略鉛直姿勢をとる一端面２２の下方に突起２２ａを突出させて設けるとともに、一端側に向けて船底状に傾斜した姿勢をとる他端面２３の下方に一端側に凹む円筒状凹部２３ａ及び矩形状凹部２３ｂを形成している。側面２４には、一端側から他端側に向けて漸次低位に推移する溝２４ａが設けられ、下面２５は前記溝２４ａと略平行をなして船底状に傾斜している。
【００２８】
コンセントホルダ３は、図４及び図５等に示すように、端部立壁３１及び側部立壁３２に囲まれた部位にコンセント取付空間Ｓ１及び機構部収納空間Ｓ２を形成してなる樹脂製のものである。コンセント取付空間Ｓ１のうち前記コンセント２の側面２４に対面する側部立壁３２には、前記コンセント２の突起２２ａに対応する位置に凹所３２ａが、また当該コンセント２の円筒状凹部２３ａに対応する位置に突軸３２ｂ、さらに当該コンセント２の溝２４ａに対応する位置に突条３２ｃが形成されている。コンセント２を取り付ける際には、図６に想像線で示すようにコンセント２を若干後傾させた姿勢で先ず円筒状凹部２３ａを突軸３２ｂに係合させ、その位置でコンセント２を回転させながら突起２２ａを凹所３２ａに係合させる。所定取付位置で、溝２４ａも突条３２ｃに弾性係合する。凹所３２ａに連続する位置には、回転動作に伴って突起２２ａを凹所３２ａに導くためのガイド面３２ｄが形成してある。コンセント２には、その他端面２３に、必要に応じてコンセントホルダ３の端部立壁３１に弾接して反発力により突起２２ａを凹所３２ａに係合させるための板バネ等が取り付けられる。
【００２９】
このコンセントホルダ３は、図２、図３及び図５等に示すように、その上方に位置する周縁部（特に長手方向に沿った縁部）３３を側部立壁３２を越えた位置までオーバーハングさせてあり、この周縁部３３を、図１及び図７等に示すように、天板本体１１の反使用端側に設けたエッジ部材１２の上向き面１２ａ及び天板本体１１の奥方に設けられた天板拡張部１３の上向き面１３ａに載置して取り付けるようにしている。上向き面１２ａ、１３ａは天板本体１１の上面１１ｂ及び天板拡張部１３の上面１３ｂよりもやや低位に位置し、取り付け状態でコンセントホルダ３の周縁部３３の上面３３ａが天板本体１１の上面１１ｂ及び天板拡張部１３の上面１３ｂと略面一な状態になる。
【００３０】
このような構成において、コンセントホルダ３は、図１、図３及び図５等に示すように、長手方向に延びる側部立壁３２の外側方に、軸３４ｘ回りに回転可能に一対のホルダストッパ３４を備えている。ホルダストッパ３４は、樹脂製の長尺物で、側部立壁３２の長手寸法に対して１／２前後の長手寸法を有し、側部立壁３２の上下寸法に対して１／２強の上下寸法を有し、長手方向の両端に軸３４ｘを有している。これらの軸３４ｘは、コンセントホルダ３の側部立壁３２に凹陥して設けた軸受３２ｅ（図１参照）内に挿入されている。そして、これらのホルダストッパ３４を操作するために、当該ホルダストッパ３４の一端側の一部をコンセントホルダ３の側部立壁３２を通過させて前記機構部収納空間Ｓ２内に位置づけるとともに、その機構部収納空間Ｓ２に作動体３５及び操作部３６を配置している。
【００３１】
具体的には、ホルダストッパ３４の一端側は図５に示すように横断面が概略コ字形のもので、基端側及び先端側に設けた鉤状部３４ａ、３４ｂがそれぞれ立壁３２に設けた貫通穴３２ｆ、３４ｇを通過して前記機構部収納空間Ｓ２内に挿入されている。
【００３２】
作動体３５は、機構部収納空間Ｓ２に設けた支軸３５ｘに回転可能に支持されて左右のホルダストッパ３４、３４間に配置されているもので、図７に示す第１の回転位置Ｒ１で支軸３５ｘより下方に位置する左右の下押圧部３５ｃ、３５ｄがホルダストッパ３４の軸３４ｘより下方に位置する左右の下鉤状部３４ａ、３４ａに係わってこれを下方若しくは外方に付勢し、図８に示す第２の回転位置Ｒ２で支軸３５ｘより上方に位置する左右の上押圧部３５ａ、３５ｂがホルダストッパ３４の軸３４ｘより上方に位置する左右の上鉤状部３４ｂ、３４ｂに係わってこれを上方若しくは外方に付勢する。このような作動体３５の回転動作は、操作部３６によって引き起こされる。
【００３３】
操作部３６は、図１及び図７等に示すように、作動体３５の上端に一体に形成され、機構部収納空間Ｓ２を閉止する蓋Ｃ２を貫通した位置に一部を表出させている。すなわち、操作部３６を操作すると、当該操作部３６の通常操作位置Ｔ１（図７参照）で一対のホルダストッパ３４の下鉤状部３４ａを押圧してこれらを互いに平行な非作動状態に保ち、作動位置Ｔ２（図８参照）で一対のホルダストッパ３４の上鉤状部３４ｂを押圧してこれらを逆ハの字に開いた作動状態に保つ。
【００３４】
そして、ホルダストッパ３４の基端側の縁部３４ｃ１に臨む部位に、コンセントホルダ３の立壁３２より突出させて図９及び図１０に示す係止片３７を設けている。具体的には、ホルダストッパ３４の基端側の縁部３４ｃ１には切欠３４ｃｘが設けてあり、係止片３７はこの切欠３４ｃｘ内に位置していて、軸３４ｘと軸受３２ｅの間に遊びが設けられるか、若しくは軸３４ｘ或いは軸受３２ｅに樹脂による弾性変形が惹起されるように構成している。そして、ホルダストッパ３４に先端側の縁部３４ｃ２から基端側の縁部３４ｃ１に向けて外力が作用した際に、ホルダストッパ３４の基端側の縁部３４ｃ１がコンセントホルダ３の係止片３７に当接するように設定してある。
【００３５】
さらに、このホルダストッパ３４には、図１１に示すように、作動体３５の動作に連動してコンセント３を係止するコンセントストッパ３４ｙが突出するように、当該作動体３５に一体に設けてある。このコンセントストッパ３４ｙは、けんどん方式で装着されたコンセント２の矩形状凹部２３ｂに側方から入り込んで、コンセント２がけんどん動作と逆方向の動作によってコンセントホルダ３から抜出することを禁止するものである。
【００３６】
なお、コンセント取付空間Ｓ１の上方には開閉可能な蓋Ｃ１が取り付けられている。この蓋Ｃ１は、図１２に示す情報コンセント２（Ｐ）を取り付ける際には他端側を支点に回動起立させた後、情報コンセント２（Ｐ）の他端面２３とコンセントホルダ３の他端側の端部立壁３１との間の蓋収納空間Ｓ３（図４参照）に落とし込んで退避させるが、図１３に示す電源コンセント２（Ｑ）を取り付ける際には、コンセントホルダ３の他端側から取り外した後、コンセントホルダ３の一端側に設けた下方に開口する袋状の蓋収納空間Ｓ４（図４参照）に下方から差し込んで装着される。
【００３７】
次に、このコンセントホルダ３の取り扱いについて説明する。
【００３８】
コンセントホルダ３は、ホルダストッパ３４を非作動状態にして、対象物であるデスク１に設けた上向き面１２ａ、１３ａに周縁部３３を載せ置いた状態で嵌め込まれる。操作部３６を操作すると、ホルダストッパ３４が逆ハの字形に開いて、天板１のエッジ部材１２に設けた下向き面１２ｘ及び天板拡張部１３に設けた下向き面１３ｘに上縁側の縁部３４ｃ２を潜り込ませる。下向き面１２ｘはこのようにしてホルダストッパ３４が機能している間は、コンセント２を引き抜く方向の力が作用しても、図１２に示すようにホルダストッパ３４の先端側の縁部３４ｃ２が前記下向き面１２ｘ、１３ｘに突き当たり、基端側の縁部３４ｃ１が係止片３７に突き当たり、両側から反力ｆ１、ｆ２を受けることにより突っ張ってコンセント２の抜出を制止する。したがって、再び操作部３６を操作して先端側の縁部３４ｃ２を下向き面１２ｘ、１３ｘから退避させてホルダストッパ３４を非作動状態にしない限り、コンセントホルダ３が取付部１０から外れることが禁止される。
【００３９】
また、操作部３６を操作した際、ホルダストッパ３４の回転に伴ってコンセントストッパ３４ｙが内方に向けて突出し、このコンセントストッパ３４ｙがコンセント２の矩形状凹部２３ｂに入り込むため、コンセント２はけんどん方式で装着した時と逆方向に動作することが禁止され、突起２２ａが凹部３２ａから外れない限り、コンセント２がコンセントホルダ３から抜出することはない。
【００４０】
以上のように、本実施形態のコンセントホルダ取付構造は、デスク１にコンセントホルダ３を取り付けるにあたり、コンセントホルダ３に軸３４ｘ回りに回転可能にホルダストッパ３４を設け、このホルダストッパ３４の作動状態でデスク１から引き抜く力がコンセントホルダ３に作用した場合に、当該ホルダストッパ３４がコンセントホルダ３の軸３４ｘ以外の部位とデスク１の一部との間で突っ張ってコンセントホルダ３の抜出を制止する。
【００４１】
このようなものであると、ホルダストッパ３４の部材自体の圧縮強度によって応力を受け止め、軸３４ｘや軸受３２ｅに過大な負担を掛けないようにすることができるので、引き抜き方向にたとえ無理な力が加えられたとしても、これら軸３４ｘや軸受３２ｅの損傷や破損を有効に防止して、耐久性を有効に向上させることができる。しかも、ホルダストッパ３４は回転することにより大きくフラップ動作を行うことができるので、無理な操作を擁せずとも取付対象であるデスク１に深く係わって確実な固定状態を実現することが可能となる。
【００４２】
また、ホルダストッパ３４が長尺物であり、長手方向に沿った一対の縁部３４ｃ１、３４ｘ２をデスク１の一部及びコンセントホルダ３の軸３４ｘ以外の部位に突き当てるようにしているため、局所的に爪を設ける場合等と比べて係合範囲が広く、ホルダストッパ３４の数も爪のように多数に設ける必要がないため構造等も簡素なものとなる。
【００４３】
具体的な構造として、ホルダストッパ３４の基端側の縁部３４ｃ１に臨む部位にコンセントホルダ３から係止片３７を突設し、ホルダストッパ３４の先端側の縁部３４ｃ２がデスク１の一部に当接して反力を受けた場合に、軸３４ｘや軸受３２ｅが一定の限度内で弾性変形するか、或いは、軸３４ｘが軸受３２ｅの所定箇所から変位するかして、ホルダストッパ３４の基端側の縁部３４ｃ１が係止片３７に当接し、ホルダストッパ３４が係止片３７とデスク１の一部との間で突っ張った状態となるように構成しているため、ホルダストッパ３４の回転動作を妨げることなく、突っ張り状態を好適に両立させることができる。
【００４４】
特に本実施形態は、コンセントホルダ３４が取付対象から抜脱することを防止するために有用な取付構造であるため、図示例のようにデスク１に設けた上向き面１２ａ、１３ａに縁部３３ａを載せ置いて取り付けられるコンセントホルダ３４に適用した場合に効果的なものとなる。
【００４５】
とりわけ本実施形態は、ホルダストッパ３４を長尺物として、一端側にのみ操作部３６を備えているため、リンク機構等を使用せずとも操作力を他端側に有効に伝達することができ、構造の簡素化を図ることができる。また、操作部３６はバネを使わずに切り替えを行うものであるため、バネやバネ受けの部材が不要であり、構造簡素にして組み込み作業等も容易に行うことができる。
【００４６】
具体的には、操作部３６により作動体３５の回転を引き起こし、作動体３５は第１の回転位置Ｒ１で一対のホルダストッパ３４を平行な非作動状態に保ち、第２の回転位置Ｒ２で逆ハの字に開いた作動状態を保つように構成しているため、片手で操作しても一対のホルダストッパ３４全体を簡単に同期して作動させることができる。
【００４７】
さらに詳細には、作動体３５がホルダストッパ３４、３４間にあって、ホルダストッパ３４の先端側を付勢する動作と基端側を付勢する動作とを背反的に行うものであるため、作動体３５をホルダストッパ３４、３４間にコンパクトに組み込むことができ、また作動体３５でホルダストッパ３４を直動することにより簡単な動作で切り替えを的確に実現することができる。
【００４８】
また、本実施形態は、作動体３５の動作に連動してコンセントホルダ３からコンセント２を係止するコンセントストッパ３４ｙが突出するように構成しているため、作動体３５を有効に活用して、デスク１からのコンセントホルダ３の抜出防止及びコンセントホルダ３からのコンセント２の抜出防止を一連の動作で同時に達成することができる。
【００４９】
さらに、コンセントホルダ３が、コンセント２を他端側に押し込んだ状態で一端側に戻すことによりけんどん方式で取り付け可能であって、コンセント２が再び他端側に移動することを禁止する部位にコンセントストッパ３４ｙを配置し得るようにしているため、コンセントホルダ３へのコンセント２の取付がけんどん方式を通じて簡易に行える上に、一旦取り付けたコンセント２がコンセントホルダ３から外れることをコンセントストッパ３４ｙによって簡単、確実に防止することができる。
【００５０】
とりわけ、本実施形態においては、コンセントストッパ３４ｙをホルダストッパ３４の一部に一体的に設けているだけであるため、構造の複雑化を殆ど招くことなく上述した所要の機能を有効に実現し得たものである。
【００５１】
なお、各部の具体的構成は、上述した実施形態のみに限定されるものではない。
【００５２】
例えば、コンセントストッパ３４ｙの作動時期と、ホルダストッパ３４の作動時期との間にタイムラグを設けておくと効果的である。すなわち、操作部３６を図１５のように操作することにより、先ず（ａ）→（ｂ）の段階でホルダストッパ３４が働き、やや遅れて（ｂ）→（ｃ）の段階でコンセントストッパ３４ｙが働くようにしておけば、再び（ｃ）→（ｂ）に戻した段階でコンセントホルダ３を係止したままの状態でコンセント２のみを引き抜き、コンセントホルダ３がついてこないようにすることができるので、２種類のコンセント２（Ｐ）、２（Ｑ）を使い分ける場合や、取付方位を変更する場合等における取扱いの便を有効に向上させることが可能となる。
【００５３】
取付方位を変更する場合としては、コンセントに第１の使用面及び第２の使用面を備え、コンセントホルダが何れの使用面を上に向けてもコンセントを装着し得るように構成されているものが挙げられる。この場合の使用面には化粧面も含み、例えば第１の使用面が電源コンセントの差込口、第２の使用面が化粧面であるようなものが例示できる。
【００５４】
その他の構成も、本発明の趣旨を逸脱しない範囲で種々変形が可能である。
【図面の簡単な説明】
【００５５】
【図１】本発明の一実施形態を示す斜視図。
【図２】同実施形態のコンセントホルダを示す平面図。
【図３】同正面図。
【図４】図２におけるＩＶ−ＩＶ線断面図。
【図５】図４におけるＶ−Ｖ線断面図。
【図６】コンセントの取付状態を示す図４に対応した断面図。
【図７】図５に対応した動作説明図。
【図８】図５及び図７に対応した動作説明図。
【図９】ホルダストッパが作動している状態の図１に対応した斜視図。
【図１０】ホルダストッパの作用説明図。
【図１１】コンセントストッパの作用説明図。
【図１２】情報コンセントを取り付けたコンセントホルダの斜視図。
【図１３】電源コンセントを取り付けたコンセントホルダの斜視図。
【図１４】ホルダストッパの作用説明図。
【図１５】本発明の変形例を示す図。
【符号の説明】
【００５６】
１…取付対象（デスク）
２…コンセント
３…コンセントホルダ
１２ａ、１３ａ…上向き面
３３…周縁部
３４…ホルダストッパ
３４ｃ１…基端側の縁部
３４ｃ２…先端側の縁部
３４ｘ…軸
３４ｙ…コンセントストッパ
３５…作動体
３６…操作部
３７…係止片
【図１】
2005218266.tif 000003
【図２】
2005218266.tif 000004
【図３】
2005218266.tif 000005
【図４】
2005218266.tif 000006
【図５】
2005218266.tif 000007
【図６】
2005218266.tif 000008
【図７】
2005218266.tif 000009
【図８】
2005218266.tif 000010
【図９】
2005218266.tif 000011
【図１０】
2005218266.tif 000012
【図１１】
2005218266.tif 000013
【図１２】
2005218266.tif 000014
【図１３】
2005218266.tif 000015
【図１４】
2005218266.tif 000016
【図１５】
2005218266.tif 000017